(57)【特許請求の範囲】
【請求項１】
テレビ放送サービスの情報を含むＭＰＥＧ−２  ＴＳ、及び、コンテンツダウンロードサービスによりマルチキャストグループ毎に配信されるコンテンツのＩＰパケットを含むＴＬＶ（Ｔｙｐｅ  Ｌｅｎｇｔｈ  Ｖａｌｕｅ）の放送波を、デジタル放送の伝送路を介して受信する受信装置において、
復調部と、分類部と、パケットアダプタとを備え、
前記復調部は、指定された搬送周波数により前記放送波の信号を選択し、該信号を復調し、
前記分類部は、前記復調されたＴＭＣＣ信号に基づいて、前記ＭＰＥＧ−２  ＴＳとＴＬＶとを分類し、
前記パケットアダプタは、
前記分類部により分類されたＴＬＶを、コンテンツのデータ用のＩＰパケット、前記コンテンツダウンロードサービスを識別するためのサービスＩＤとマルチキャストグループを特定するためのＩＰアドレスとを含むアドレスマップテーブルからなる制御用のＴＬＶ、及び、サービスＩＤと搬送周波数とを含むＮＩＴ（Ｎｅｔｗｏｒｋ  Ｉｎｆｏｒｍａｔｉｏｎ  Ｔａｂｌｅ）からなる制御用のＴＬＶに分類するタイプ分類部、
マルチキャストグループを特定するためのＩＰアドレスを含む配信要求を、前記コンテンツダウンロードサービスを受ける要求元から受信し、前記タイプ分類部により分類された制御用のＴＬＶにおけるアドレスマップテーブルを用いて、前記配信要求に含まれるＩＰアドレスからサービスＩＤを特定するマルチキャスト管理部、
前記タイプ分類部による分類された制御用のＴＬＶにおけるＮＩＴを用いて、前記マルチキャスト管理部により特定されたサービスＩＤから搬送周波数を特定し、該特定した搬送周波数を、前記復調部により選択される信号の搬送周波数として指定するフロントエンド制御部、及び、
前記タイプ分類部により分類されたデータ用のＩＰパケットのうち、前記マルチキャスト管理部により受信された配信要求に含まれるＩＰアドレスを有するＩＰパケットを選択し、該選択したＩＰパケットを、前記配信要求に対するコンテンツのＩＰパケットとして送信するパケットフィルタ部を有することを特徴とする受信装置。
【請求項２】
請求項１に記載の受信装置において、
前記マルチキャストグループを特定するためのＩＰアドレスは、コンテンツがマルチキャスト配信される送信元アドレス及びあて先となるグループアドレスであることを特徴とする受信装置。
【請求項３】
請求項１に記載の受信装置において、
前記マルチキャストグループを特定するためのＩＰアドレスは、コンテンツがマルチキャスト配信される、あて先となるグループアドレスであることを特徴とする受信装置。
【請求項４】
請求項１に記載の受信装置において、
前記パケットアダプタは、
前記タイプ分類部、前記マルチキャスト管理部、前記フロントエンド制御部及び前記パケットフィルタ部を備える代わりに、
前記マルチキャストグループを特定するためのＩＰアドレスに対応付けたＣＩＤ（Ｃｏｎｔｅｘｔ  ＩＤｅｎｔｉｆｉｃａｔｉｏｎ）を含む配信要求を、前記コンテンツダウンロードサービスを受ける要求元から受信し、
マルチキャストグループを特定するためのＩＰアドレスに対応付けたＣＩＤと、前記マルチキャストグループのコンテンツが配信される搬送周波数とを含むテーブルを用いて、前記配信要求に含まれるＩＰアドレスから搬送周波数を特定し、該特定した搬送周波数を、前記復調部により選択される信号の搬送周波数として指定し、
該指定した搬送周波数にて復調されたＴＬＶのＩＰパケットのうち、前記配信要求に含まれるＩＰアドレスを有するＩＰパケットを選択し、該選択したＩＰパケットを、前記配信要求に対するコンテンツのＩＰパケットとして前記要求元へ送信することを特徴とする受信装置。
【請求項５】
テレビ放送サービスの情報を含むＭＰＥＧ−２  ＴＳの放送波を送信すると共に、コンテンツダウンロードサービスによりマルチキャストグループ毎に配信されるコンテンツのＩＰパケットを含む放送波を送信する送信装置と、
該送信装置からデジタル放送の伝送路を介して前記放送波を受信する、請求項１から４までのいずれか一項に記載の受信装置とを備えたことを特徴とする伝送システム。
【発明の詳細な説明】
【技術分野】
【０００１】
本発明は、デジタル放送に用いる受信装置及び伝送システムに関し、特に、マルチキャストグループを特定するための情報に基づいて、復調すべき信号を選択し、復調した信号からＩＰ（Ｉｎｔｅｒｎｅｔ  Ｐｒｏｔｏｃｏｌ）パケットを選択する技術に関するものである。
【背景技術】
【０００２】
従来、コンテンツをパケット化し、時分割多重によりＭＰＥＧ−２  ＴＳ（Ｔｒａｎｓｐｏｒｔ  Ｓｔｒｅａｍ）の放送波を送出する送信装置と、放送衛星を介して放送波を受信する受信装置とにより構成される衛星放送システムが知られている（特許文献１を参照）。例えば、特許文献１には、受信装置を操作するユーザが、コンテンツを視聴するための選局（チューニング）をインタラクティブに行う技術が開示されている。
【０００３】
選局を行うためには、送信装置と受信装置との間で送受信されるＭＰＥＧ−２  ＴＳに含まれる制御情報が用いられる。この制御情報は規格化されている（非特許文献１を参照）。例えば、非特許文献１の第１部付属第３１頁の記載によれば、ユーザによって選局の操作が行われると、受信装置は、制御情報に含まれるＮＩＴ（Ｎｅｔｗｏｒｋ  Ｉｎｆｏｒｍａｔｉｏｎ  Ｔａｂｌｅ）を参照して、ユーザの希望するコンテンツを含むＴＳの搬送周波数を取得し、復調対象となる搬送周波数に切り替える。このようにして、制御情報を用いた選局が行われる。
【０００４】
ところで、２０１１年から利用可能となるＢＳ周波数によるデジタル放送の方式として、新たな高度ＢＳデジタル放送の伝送方式が提案されている（非特許文献２を参照）。この新たな高度ＢＳデジタル放送の伝送方式を用いることにより、テレビ放送サービスだけでなく、コンテンツダウンロードサービスの実現に向けた研究開発が進められている。高度ＢＳデジタル放送によるコンテンツダウンロードサービスは、ユーザによる端末装置の操作に従って、ユーザが視聴するコンテンツを放送波から取得し、端末装置に蓄積するものである。
【０００５】
一般に、コンテンツのダウンロードサービスとして、インターネットを介してサーバーからダウンロードするものが知られている。このサービスとの共通化を図るために、高度ＢＳデジタル放送によるコンテンツダウンロードサービスでは、ＩＰパケットをＴＬＶ（Ｔｙｐｅ  Ｌｅｎｇｔｈ  Ｖａｌｕｅ）として送受信する仕組みが検討されている（非特許文献３を参照）。ＴＬＶの詳細については後述する。
【０００６】
【特許文献１】特許第３３８２５６９号公報
【非特許文献１】ＡＲＩＢ  ＳＴＤ−Ｂ．３２、「デジタル放送における映像符号化、音声符号化及び多重化方式」
【非特許文献２】橋本、鈴木、筋誡、田中、木村、正源等、「高度ＢＳデジタル放送の伝送方式」、電子情報通信学会、技術研究報告ＳＡＴ２００７−１０、ｐｐ１３−１８、Ｊｕｎｅ  ２００７
【非特許文献３】青木、西村、青木、木村等、「高度ＢＳデジタル放送におけるＩＰパケット伝送方式の一検討」、映像情報メディア学会、２００７年冬季大会３−３、Ｄｅｃ．  ２００７
【発明の開示】
【発明が解決しようとする課題】
【０００７】
衛星放送システムにおける選局は、ユーザがチャンネルを指定することによって、その時間に放送している複数のコンテンツの中から、ユーザが視聴したいコンテンツを選択することにより行われる。具体的には、ＭＰＥＧ−２  Ｓｙｓｔｅｍｓで規定されているＰＳＩ（Ｐｒｏｇｒａｍ  Ｓｐｅｃｉｆｉｃ  Ｉｎｆｏｒｍａｔｉｏｎ）及びＡＲＩＢ  ＳＴＤ−Ｂ．１０「デジタル放送に使用する番組配列情報」で規定されているＳＩ（Ｓｅｒｖｉｃｅ  Ｉｎｆｏｒｍａｔｉｏｎ）の制御情報が用いられる。受信装置は、ユーザのチャンネル指定に伴ってサービスＩＤが指定されることにより、そのサービスを構成する映像及び音声のＥＳ（Ｅｌｅｍｅｎｔａｒｙ  Ｓｔｒｅａｍ）のＰＩＤ（Ｐａｃｋｅｔ  ＩＤｅｎｔｉｆｉｅｒ）を取得し、そのＰＩＤが示すＥＳを受信する。
【０００８】
一方、ＩＰを用いたインターネット等の通信網におけるコンテンツのマルチキャスト配信またはオンデマンド配信では、ユーザが操作する端末装置は、コンテンツを特定するためのＵＲＩ（Ｕｎｉｆｏｒｍ  Ｒｅｓｏｕｒｃｅ  Ｉｄｅｎｔｉｆｉｅｒ）、すなわち、コンテンツの配信元である送信元アドレス及びマルチキャストのグループであるグループアドレスを選択し、最寄りのルータまたはＵＲＩに示されるサーバーに、ＩＰパケットの送信を要求し、送信される一連のＩＰパケットを受信する。これにより、端末装置は、所望のコンテンツを取得することができる。
【０００９】
前述した高度ＢＳデジタル放送によるコンテンツダウンロードサービスでは、現在のデジタル放送と同様に、ＭＰＥＧ−２  ＳｙｓｔｅｍｓまたはＡＲＩＢ  ＳＴＤ−Ｂ．１０で規定されているＰＳＩ／ＳＩを用いることにより、コンテンツをＭＰＥＧ−２  ＴＳとして伝送する。この伝送方式の他に、非特許文献３に記載されているように、ＩＰパケットをＴＬＶとして伝送路に多重することにより、コンテンツを伝送する方式がある。
【００１０】
高度ＢＳデジタル放送に用いる受信装置は、伝送路に多重されたＴＬＶからＩＰパケットを取り出し、受信装置の内外にあるアプリケーションにＩＰパケットを出力する。したがって、アプリケーションが、ホームネットワーク等のネットワークにより高度ＢＳ受信装置とインターネットの通信網の両方に接続される場合、アプリケーションは、インターネットの通信網を経由して伝送されるＩＰパケットを受信できることに加え、高度ＢＳデジタル放送の伝送路を経由して伝送されるＩＰパケットを受信することが可能になる。
【００１１】
しかしながら、インターネットの通信網を介してコンテンツを受信する仕組みと、高度ＢＳデジタル放送の伝送路を介してコンテンツを受信する仕組みとの間に違いがある。このため、アプリケーションは、コンテンツの配信を要求する場合、インターネットの通信網を介してコンテンツの配信を受けるのか、高度ＢＳデジタル放送の伝送路を介してコンテンツの配信を受けるのかを区別する必要がある。また、高度ＢＳデジタル放送の伝送路を介してコンテンツを受信するときには、高度ＢＳ受信装置は、アプリケーションにより選択されたコンテンツを含むＩＰパケットを特定する必要がある。また、アプリケーションはそれぞれに適した配信要求処理を行い、高度ＢＳ受信装置は、配信要求に合った選局処理を行う必要がある。
【００１２】
そこで、本発明はこのような課題を解決するためになされたものであり、その目的は、コンテンツの要求元がインターネットの通信網とデジタル放送の伝送路とを区別することなくコンテンツの配信を受けることができるように、要求元からの配信要求を処理可能な受信装置及び伝送システムを提供することにある。
【課題を解決するための手段】
【００１３】
前記目的を達成するために、本発明の簡単な例として、以下に示す構成の伝送システムを提案する。送信装置は、コンテンツが含まれるＩＰパケットを特定するためのあて先アドレス、送信元アドレス、またはあて先アドレスと送信元アドレスとの組み合わせと、ＩＰパケットを用いて行われるコンテンツダウンロードサービスを識別するためのサービスＩＤとを対応付けるアドレスマップテーブルを作成し、高度ＢＳデジタル放送の伝送路へ送信する。ここで、アドレスマップテーブルは、高度ＢＳデジタルの伝送路を介して送信されるようにしてもよいし、インターネットの通信網を介して送信されるようにしてもよい。受信装置は、アドレスマップテーブルを受信し、コンテンツのダウンロードを行うための配信要求に含まれるあて先アドレス等の情報に基づいて、ＩＰパケットが伝送される信号を選択するために必要な搬送周波数等の情報を特定し、復調する信号を選択する。
【００１４】
すなわち、本発明による請求項１の受信装置は、テレビ放送サービスの情報を含むＭＰＥＧ−２  ＴＳ、及び、コンテンツダウンロードサービスによりマルチキャストグループ毎に配信されるコンテンツのＩＰパケットを含むＴＬＶ（Ｔｙｐｅ  Ｌｅｎｇｔｈ  Ｖａｌｕｅ）の放送波を、デジタル放送の伝送路を介して受信する受信装置において、復調部と、分類部と、パケットアダプタとを備え、前記復調部が、指定された搬送周波数により前記放送波の信号を選択し、該信号を復調し、前記分類部が、前記復調されたＴＭＣＣ信号に基づいて、前記ＭＰＥＧ−２  ＴＳとＴＬＶとを分類し、前記パケットアダプタが、前記分類部により分類されたＴＬＶを、コンテンツのデータ用のＩＰパケット、前記コンテンツダウンロードサービスを識別するためのサービスＩＤとマルチキャストグループを特定するためのＩＰアドレスとを含むアドレスマップテーブルからなる制御用のＴＬＶ、及び、サービスＩＤと搬送周波数とを含むＮＩＴ（Ｎｅｔｗｏｒｋ  Ｉｎｆｏｒｍａｔｉｏｎ  Ｔａｂｌｅ）からなる制御用のＴＬＶに分類するタイプ分類部、マルチキャストグループを特定するためのＩＰアドレスを含む配信要求を、前記コンテンツダウンロードサービスを受ける要求元から受信し、前記タイプ分類部により分類された制御用のＴＬＶにおけるアドレスマップテーブルを用いて、前記配信要求に含まれるＩＰアドレスからサービスＩＤを特定するマルチキャスト管理部、前記タイプ分類部による分類された制御用のＴＬＶにおけるＮＩＴを用いて、前記マルチキャスト管理部により特定されたサービスＩＤから搬送周波数を特定し、該特定した搬送周波数を、前記復調部により選択される信号の搬送周波数として指定するフロントエンド制御部、及び、前記タイプ分類部により分類されたデータ用のＩＰパケットのうち、前記マルチキャスト管理部により受信された配信要求に含まれるＩＰアドレスを有するＩＰパケットを選択し、該選択したＩＰパケットを、前記配信要求に対するコンテンツのＩＰパケットとして送信するパケットフィルタ部を有することを特徴とする。
【００１６】
本発明による請求項２の受信装置は、請求項１に記載の受信装置において、前記マルチキャストグループを特定するためのＩＰアドレスは、コンテンツがマルチキャスト配信される送信元アドレス及びあて先となるグループアドレスであることを特徴とする。
【００１７】
本発明による請求項３の受信装置は、請求項１に記載の受信装置において、前記マルチキャストグループを特定するためのＩＰアドレスは、コンテンツがマルチキャスト配信される、あて先となるグループアドレスであることを特徴とする。
【００１８】
本発明による請求項４の受信装置は、請求項１に記載の受信装置において、前記パケットアダプタは、前記タイプ分類部、前記マルチキャスト管理部、前記フロントエンド制御部及び前記パケットフィルタ部を備える代わりに、前記マルチキャストグループを特定するためのＩＰアドレスに対応付けたＣＩＤ（Ｃｏｎｔｅｘｔ  ＩＤｅｎｔｉｆｉｃａｔｉｏｎ）を含む配信要求を、前記コンテンツダウンロードサービスを受ける要求元から受信し、マルチキャストグループを特定するためのＩＰアドレスに対応付けたＣＩＤと、前記マルチキャストグループのコンテンツが配信される搬送周波数とを含むテーブルを用いて、前記配信要求に含まれるＩＰアドレスから搬送周波数を特定し、該特定した搬送周波数を、前記復調部により選択される信号の搬送周波数として指定し、該指定した搬送周波数にて復調されたＴＬＶのＩＰパケットのうち、前記配信要求に含まれるＩＰアドレスを有するＩＰパケットを選択し、該選択したＩＰパケットを、前記配信要求に対するコンテンツのＩＰパケットとして前記要求元へ送信することを特徴とする。
【００２２】
本発明による請求項５の伝送システムは、テレビ放送サービスの情報を含むＭＰＥＧ−２  ＴＳの放送波を送信すると共に、コンテンツダウンロードサービスによりマルチキャストグループ毎に配信されるコンテンツのＩＰパケットを含む放送波を送信する送信装置と、該送信装置からデジタル放送の伝送路を介して前記放送波を受信する、請求項１から４までのいずれか一項に記載の受信装置とを備えたことを特徴とする。
【発明の効果】
【００２３】
以上のように、本発明によれば、ＩＰパケットの送信元アドレス、あて先アドレス、または送信元アドレスとあて先アドレスとの組み合わせ等のマルチキャストグループを特定するためのＩＰアドレスの情報に基づいて、コンテンツダウンロードサービスが行われる放送波の信号を区別することができる。この結果、コンテンツの要求元は、マルチキャストグループを特定するためのＩＰアドレスの情報を含むデータを配信要求とすることにより、インターネットの通信網とデジタル放送の伝送路とを区別することなく、配信を要求することができ、かつ、コンテンツの配信を受けることができる。
【発明を実施するための最良の形態】
【００２４】
以下、本発明を実施するための最良の形態について図面を用いて詳細に説明する。
〔伝送システム〕
まず、伝送システムについて説明する。図１は、本発明の実施形態による伝送システムの構成を示す図である。この伝送システムは、衛星放送システムであり、放送波を送信する送信装置４００と、送信装置４００から送信された放送波を増幅等して送信する放送衛星５００と、放送衛星５００から送信された放送波を受信する高度ＢＳ受信装置２００と、コンテンツの配信要求等を行うアプリケーション３０１〜３０３をそれぞれ有する端末装置と、インターネット３０５に接続されるサーバー３０６とを備えて構成される。高度ＢＳ受信装置２００、端末装置及びインターネット３０５は、ホームネットワーク３０４により接続され、ホームネットワーク３０４及びサーバー３０６はインターネット３０５により接続される。
【００２５】
送信装置４００は、テレビ放送サービスを実現するための情報を含むＭＰＥＧ−２  ＴＳ、及び、コンテンツダウンロードサービスを実現するためのコンテンツを含むＴＬＶを生成し、放送波として送信する。送信装置４００は、放送波の送信に際し、マルチキャスト配信されるコンテンツのＩＰパケットをＴＬＶに格納する。また、ＮＩＴを制御用のＴＬＶに格納し、アドレスマップテーブルを制御用のＴＬＶに格納する。ＴＬＶ、ＮＩＴ及びアドレスマップテーブルについては後述する。
【００２６】
アプリケーション３０１〜３０３は、端末装置に備えた処理手段であり、高度ＢＳ受信装置２００及びインターネット３０５から、マルチキャスト配信されるコンテンツの一覧情報を受信し格納する。また、端末装置を操作するユーザが所望のコンテンツを要求する場合、コンテンツの一覧に基づいて配信要求を生成して送信し、その要求したコンテンツの配信を受ける。また、コンテンツの配信を受けている途中でその配信の停止を要求する場合、配信停止要求を送信する。
【００２７】
具体的には、アプリケーション３０１〜３０３は、コンテンツ名称、ＩＤ、コンテンツの送信元アドレス、コンテンツのあて先であるマルチキャストのグループアドレス等により構成されるコンテンツの一覧情報を受信する。ユーザ操作によりコンテンツの配信要求があると、アプリケーション３０１〜３０３は、ユーザ操作により指定されたコンテンツに関する情報を、コンテンツの一覧情報から取得し、送信元ＩＰアドレス（以下、送信元アドレスという。）、マルチキャストのグループアドレス等の情報を付加した配信要求を送信する。また、ユーザ操作によりコンテンツの配信停止要求があると、アプリケーション３０１〜３０３は、配信を受けているコンテンツの送信元アドレス、マルチキャストのグループアドレス等の情報を付加した配信停止要求を送信する。
【００２８】
ここで、マルチキャストの方式には、ＡＳＭ（Ａｎｙ  Ｓｏｕｒｃｅ  Ｍｕｌｔｉｃａｓｔ）とＳＳＭ（Ｓｏｕｒｃｅ  Ｓｐｅｃｉｆｉｃ  Ｍｕｌｔｉｃａｓｔ）とがある。ＡＳＭは、送信元アドレスに関係なくＩＰパケットのあて先となるグループアドレスのみで、マルチキャスト配信される一連のＩＰパケットを識別する方式である。ＳＳＭは、送信元アドレスとＩＰパケットのあて先となるグループアドレスとの組み合わせでマルチキャスト配信される一連のＩＰパケットを識別する方式である。本実施形態では、アプリケーション３０１〜３０３は、それぞれのマルチキャストの仕組みに応じて、グループアドレスのみ、または送信元アドレスとグループアドレスとの組み合わせを含む配信要求または配信停止要求を生成し、コンテンツの配信要求を送信し、または配信停止要求を送信する。配信要求及び配信停止要求の方式としては、ＩＧＭＰｖ２（ＲＦＣ２２３６にて規定されている。)、ＩＧＭＰｖ３（ＲＦＣ２７１０にて規定されている。)、ＭＬＤｖ１（ＲＦＣ２７１０にて規定されている。）またはＭＬＤｖ２（ＲＦＣ３８１０にて規定されている。）を、ＩＰのバージョンやマルチキャストの方式に応じて用いている。
【００２９】
アプリケーション３０１〜３０３により送信された配信要求または配信停止要求は、ホームネットワーク３０４を介して高度ＢＳ受信装置２００及びインターネット３０５へ送信される。
【００３０】
高度ＢＳ受信装置２００は、コンテンツの送信元である送信装置４００から放送衛星５００を介して、時分割多重された複数のコンテンツを受信しており、アプリケーション３０１〜３０３からコンテンツの配信要求を受信すると、そのコンテンツを構成するＩＰパケットを選択して要求元のアプリケーション３０１〜３０３へ送信する。また、コンテンツの配信停止要求を受信すると、そのコンテンツについてのＩＰパケットの送信を停止する。また、受信した配信要求または配信停止要求に対応するコンテンツが存在しない場合は、これらの要求を無視する。受信した配信要求または配信停止要求に対応するコンテンツが存在するか否かは、その要求に付加された送信元アドレス、マルチキャストのグループアドレス等の情報に基づいて判断する。
【００３１】
サーバー３０６は、インターネット３０５の通信網により送信されるコンテンツの送信元である。インターネット３０５に接続されたルータは、アプリケーション３０１〜３０３からコンテンツの配信要求を受けると、マルチキャストの処理を行い、そのコンテンツを要求元のアプリケーション３０１〜３０３へ送信する。また、コンテンツの配信停止要求を受信すると、そのコンテンツについてのＩＰパケットの送信を停止する。また、受信した配信要求または配信停止要求に対応するコンテンツが存在しない場合は、これらの要求を無視する。受信した配信要求または配信停止要求に対応するコンテンツが存在するか否かは、その要求に付加された送信元アドレス、マルチキャストのグループアドレス等の情報に基づいて判断する。尚、マルチキャストの制御は公知技術であるため、ここでは説明を省略する。
【００３２】
インターネット３０５は、様々なコンテンツプロバイダが自由に接続される通信網に加え、接続されるコンテンツプロバイダは限定されるが伝送品質が保証される通信網も含む。
【００３３】
〔高度ＢＳ受信装置〕
次に、高度ＢＳ受信装置２００について説明する。図２は、図１に示した高度ＢＳ受信装置２００の構成を示す図である。この高度ＢＳ受信装置２００は、ＢＳ−ＩＦ復調部２０１、誤り訂正部２０２、ストリーム分類部２０３、ＡＶデコーダ２０４及びパケットアダプタ１００を備えている。
【００３４】
ＢＳ−ＩＦ復調部２０１は、アンテナを介してＢＳ−ＩＦ信号を入力し、ＢＳ−ＩＦ信号を復調する。これにより、映像、音声、データコンテンツまたはＩＰパケットを取り出すことができる。ここで、ＢＳ−ＩＦ復調部２０１は、ＢＳ−ＩＦ信号の復調に先立って、復調するＢＳ−ＩＦ信号を選択する必要がある。本実施形態では、説明を簡単にするため、ＢＳ−ＩＦ信号の選択を搬送周波数のみにより行うものとする。
【００３５】
ここで、復調する信号を選択する方式には２種類ある。第１の方式は、ＭＰＥＧ−２  ＴＳにより伝送されるＰＳＩ／ＳＩに基づいて、復調する信号を選択するものである。第２の方式は、図２に示すパケットアダプタ１００により搬送周波数を特定し、特定した搬送周波数のＢＳ−ＩＦ信号のみを復調するものである。第１の方式は公知技術であるから、ここでは説明を省略する。第１の方式の例として、受信装置が、リモコンに備えたチャンネルのボタンを用いてサービスＩＤを入力し、そのサービスに含まれる映像及び音声が多重される搬送波を選択し、その搬送波を復調することにより、ユーザが所望するコンテンツを取得するものである。尚、第１の方式は公知技術であるから、ここでは詳細な説明を省略する。詳細については、ＡＲＩＢ  ＳＴＤ−Ｂ．３２第３１頁における図１−２（ａ）の記載等を参照されたい。
【００３６】
誤り訂正部２０２は、ＢＳ−ＩＦ復調部２０１により復調された信号を入力し、誤り訂正処理を行う。これにより、スロットを取り出すことができる。スロットは、物理的な伝送単位であり、高度ＢＳデジタル放送では、複数のスロットをまとめたフレームという単位で変調され伝送される。
【００３７】
図３は、フレーム、ストリーム、スロット及びＴＬＶの関係を示す図である。図３において、ＴＬＶはＩＰパケットにより構成され、「Ａ，Ｂ，Ｃ，・・・，Ｈ」は、そのＴＬＶに格納されるＩＰパケットのマルチキャストグループを示している。「制御」は、制御情報からなるＴＬＶを示している。スロットは複数のＴＬＶにより構成される。ストリームは、ストリームＩＤにて識別される複数のスロットで伝送されるバイト列により構成される。フレームは複数のスロットにより構成される。
【００３８】
バイト列は、ＴＬＶのみで構成される場合と、ＭＰＥＧ−２  ＴＳパケットのみで構成される場合とがある。図３は、ＴＬＶのみで構成される例であり、搬送周波数ｆ１で伝送されるフレームにおいて、上から１番目、２番目、３番目のスロットを、ストリームＩＤが０ｘ０１０１のストリームとしている。ストリームＩＤが０ｘ０１０１のストリームにより、マルチキャストグループのＡ，Ｂ，Ｃ，Ｄに属するＩＰパケットをＴＬＶとして伝送している。
【００３９】
いずれのストリームにＭＰＥＧ−２  ＴＳが多重されているか、またはＴＬＶが多重されているかについては、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号に示される。ＴＭＣＣ信号は、デジタル放送における伝送多重制御信号であり、その放送波で伝送される信号の変調方式や多重される情報の種別(高度ＢＳ放送では、ＭＰＥＧ−２  ＴＳパケットまたはＴＬＶの種別)等の識別のために用いられる。
【００４０】
図２に戻って、ストリーム分類部（ＤＥＭＵＸ）２０３は、誤り訂正部２０２により誤り訂正処理がされた信号を入力し、ＴＭＣＣ信号を取り出し、そのＴＭＣＣ信号に基づいて、ＭＰＥＧ−２  ＴＳが格納されたストリームとＴＬＶが格納されたストリームとに分類する。そして、ＭＰＥＧ−２  ＴＳが格納されたストリームからＭＰＥＧ−２  ＴＳを取り出し、ＡＶデコーダ２０４に出力し、ＴＬＶが格納されたストリームからＴＬＶを取り出し、パケットアダプタ１００に出力する。
【００４１】
図４は、ＴＬＶの構成を示す図である。ＴＬＶは、ＴＬＶのバージョン「０１」を格納するフィールド、未定義フィールド、後述するＶａｌｕｅフィールドにおけるデータの種別を格納するタイプ（ｔｙｐｅ）フィールド、Ｖａｌｕｅフィールドの長さを格納するレングス（Ｌｅｎｇｔｈ）フィールド、及び、ＩＰパケット、ＮＩＴ、アドレスマップテーブル等の制御情報の実際のデータを格納するバリュー（Ｖａｌｕｅ）フィールドにより構成される。
【００４２】
図２に戻って、ＡＶデコーダ２０４は、ストリーム分類部２０３からＭＰＥＧ−２  ＴＳを入力し、映像、音声、データコンテンツ、またはＰＳＩ／ＳＩが多重されたＭＰＥＧ−２  ＴＳを処理する。尚、ＡＶデコーダ２０４の処理は、既存のデジタル放送の受信装置と同様であり公知の技術であるため、ここでは説明を省略する。
【００４３】
パケットアダプタ１００は、ストリーム分類部２０３からＴＬＶを入力し、ホームネットワーク３０４を介してアプリケーション３０１〜３０３からコンテンツの配信要求または配信停止要求を受信し、ＢＳ−ＩＦ信号を選択するための搬送周波数をＢＳ−ＩＦ復調部２０１に出力し、配信要求に対応するコンテンツのＩＰパケットを送信する。また、パケットアダプタ１００は、配信停止要求に従って、ＩＰパケットの送信を停止する。
【００４４】
〔パケットアダプタ〕
次に、パケットアダプタ１００について説明する。図５は、図２に示したパケットアダプタ１００の構成を示す図である。このパケットアダプタ１００は、マルチキャスト管理部１０１、フロントエンド制御部１０２、パケットフィルタ部１０３、ＩＰヘッダ復元部１０４、タイプ分類部１０５及び入出力インターフェース１０６を備え、以下の２つの機能を有する。
（１）ストリーム分類部２０３からＴＬＶを入力し、必要なＩＰパケットを送信する。
（２）アプリケーション３０１〜３０３からコンテンツの配信要求及び配信停止要求を受信し、要求されたコンテンツのＩＰパケットを送信するために、ＢＳ−ＩＦ復調部２０１において復調する信号を選択するための搬送波信号を特定して出力する。
【００４５】
タイプ分類部１０５は、ＴＬＶを構成するタイプに応じて、入力したＴＬＶを分類し、ＴＬＶを構成するバリューフィールドに格納されたデータをタイプ毎に出力する。ＴＬＶのタイプには、「ヘッダが圧縮されないＩＰパケット」、「ヘッダが圧縮されたＩＰパケット」、「制御」、「ＮＵＬＬ」を示す種別が示される。
【００４６】
タイプ分類部１０５は、タイプが「ＮＵＬＬ」の場合、出力処理を行わない。タイプが「ヘッダが圧縮されないＩＰパケット」の場合、バリューフィールドに格納されたデータをＩＰパケットとしてパケットフィルタ部１０３に出力する。タイプが「ヘッダが圧縮されたＩＰパケット」の場合、バリューフィールドに格納されたデータをＩＰヘッダ復元部１０４に出力する。タイプが「制御」の場合、バリューフィールドに格納されたデータについて、ＮＩＴが格納されているときに（図６を参照）、ＮＩＴをフロントエンド制御部１０２に出力する。一方、バリューフィールドに格納されたデータについて、アドレスマップテーブルが格納されているときに（図７を参照）、アドレスマップテーブルをマルチキャスト管理部１０１に出力する。
【００４７】
ＩＰヘッダ復元部１０４は、タイプ分類部１０５から「ヘッダが圧縮されたＩＰパケット」のタイプのデータを入力し、ヘッダ情報が圧縮されたパケットのヘッダを復元し、ＩＰパケットとしてパケットフィルタ部１０３に出力する。ヘッダを復元する手法には様々な公知技術があるため、ここでは詳細な説明を省略する。尚、公知技術ではないが、圧縮されたヘッダ情報に格納されているＣＩＤ（Ｃｏｎｔｅｘｔ  ＩＤｅｎｔｉｆｉｃａｔｉｏｎ）に基づいて、ヘッダを復元するようにしてもよい。ＣＩＤについては後述する。
【００４８】
パケットフィルタ部１０３は、ＩＰヘッダ復元部１０４及びタイプ分類部１０５からＩＰパケットを入力し、マルチキャスト管理部１０１からＩＰアドレスを入力し、ＩＰアドレスで指定されたＩＰパケットのみを選択し、入出力インターフェース１０６に出力する。この場合、パケットフィルタ部１０３は、入力したＩＰアドレスが、入力したＩＰパケットのヘッダに格納されている送信元アドレス及びあて先アドレスに相当するか否かを判断し、相当する場合に、そのＩＰパケットを出力する。
【００４９】
入出力インターフェース１０６は、モジュラー端子であり、ホームネットワーク３０４との間でＩＰパケットを送受信する。
【００５０】
マルチキャスト管理部１０１は、タイプ分類部１０５からアドレスマップテーブルを入力し、アプリケーション３０１〜３０３からホームネットワーク３０４及び入出力インターフェース１０６を介してコンテンツの配信要求または配信停止要求を入力する。マルチキャスト管理部１０１は、入力した配信要求または配信停止要求と入力したアドレスマップテーブルとに基づいて、配信要求されたコンテンツのＩＰパケットがマルチキャストされているか否かを判断する。マルチキャストされていないと判断した場合、その要求を無視する。一方、マルチキャストされていると判断した場合、配信要求及びアドレスマップテーブルに基づいてサービスＩＤを特定し、フロントエンド制御部１０２に出力すると共に、配信要求されたＩＰパケットに対応するＩＰアドレスを特定し、パケットフィルタ部１０３に出力する。また、マルチキャスト管理部１０１は、入力した配信停止要求、アドレスマップテーブル及び既に入力した配信要求を参照して、配信停止要求されたＩＰパケットに対応するＩＰアドレスを特定し、パケットフィルタ部１０３に出力する。
【００５１】
フロントエンド制御部１０２は、タイプ分類部１０５からＮＩＴを入力し、マルチキャスト管理部１０１からサービスＩＤを入力し、ＮＩＴを構成するサービスリスト記述子及び衛星分配システム記述子(詳細については後述する。)から、復調するべき信号の搬送周波数を特定し、その搬送周波数をＢＳ−ＩＦ復調部２０１に出力する。
【００５２】
〔配信要求処理フロー〕
次に、配信要求処理フローについて説明する。図８は、アプリケーション３０１〜３０３が配信要求を送信してから、所望のコンテンツのＩＰパケットを受信するまでの配信要求処理フローを示す図である。
【００５３】
高度ＢＳ受信装置２００におけるパケットアダプタ１００のマルチキャスト管理部１０１は、前述したＩＧＭＰまたはＭＬＤ等により、コンテンツの配信要求を示すＩＰパケット（ＡＳＭの場合はあて先となるグループアドレス、ＳＳＭの場合は送信元アドレス及びあて先となるグループアドレスを含むｊｏｉｎメッセージ）をアプリケーション３０１〜３０３から受信する（ステップＳ８０１）。マルチキャスト管理部１０１は、配信要求を示すＩＰパケットを入力したことを認識し、配信が要求されたマルチキャストのグループを特定する。ＡＳＭの場合、配信要求を示すＩＰパケットに記述されるグループアドレスを取り出し、ＳＳＭの場合、配信要求を示すパケットに記述される送信元アドレス及びグループアドレスを取り出す。マルチキャスト管理部１０１は、アドレスマップテーブルを参照し、要求されたマルチキャストグループのＩＰパケットが伝送されるサービスＩＤを特定する。
【００５４】
図９は、アドレスマップテーブルの例を示す図である。このアドレスマップテーブルは、あるサービスＩＤに属するマルチキャストグループを示すテーブルである。図９において、送信元アドレスの範囲をsrc_addr及びsrc_maskにて示している。src_maskは、src_addrとして記述されるＩＰアドレスの先頭から何ビットまでを識別するかを示す情報である。src_addrが202.214.202.0、src_maskが24の例では、src_addrの先頭から24ビットまでを送信元アドレスとして識別することを意味する。したがって、この例では、202.214.202.0〜202.214.202.255の範囲のアドレスを意味する。同様に、あて先アドレスの範囲をdst_addr及びdst_maskにて示している。dst_maskは、dst_addrとして記述されるＩＰアドレスの先頭から何ビットまでを識別するかを示す情報である。dst_addrが239.192.0.1、dst_maskが32の例では、dst_addrの先頭から32ビットを識別するため、あて先アドレスに幅はなく239.192.0.1のただ一つのアドレスを意味する。
【００５５】
以上より、図９の例では、ＩＰバージョンであるip_verが４であるため、ＩＰｖ４のパケットを対象としており、かつ送信元アドレスが202.214.202.0〜202.214.202.255、かつあて先アドレスが239.192.0.1のＩＰパケットがサービスID  0x0001として伝送されることを意味する。ＩＰｖ６の場合も同様である。図９に示したアドレスマップテーブルの例では、送信元アドレス202.214.202.2及びあて先アドレス239.192.0.1をグループＡ、送信元アドレス202.214.202.4及びあて先アドレス239.192.0.1をグループＢ、送信元アドレス202.214.202.10及びあて先アドレス239.192.0.2をグループＣ、送信元アドレス202.214.202.14及びあて先アドレス239.192.0.2をグループＤ、送信元アドレス2001:c90:7000::9876及びあて先アドレスff38:1234::5678をグループＥ、送信元アドレス2001:c90:7000::9876及びあて先アドレスff38:1234::8765をグループＦとした場合、グループＡ及びＢはサービスＩＤが0x0001、グループＣ及びＤはサービスＩＤが0x0002、グループＥはサービスＩＤが0x0003、グループＦはサービスＩＤが0x0004であることがわかる。
【００５６】
尚、図９には明示してないが、任意の送信元アドレスに対し、あて先アドレスだけでマルチキャストグループを区別する例もあり、この場合、src_maskを0としたアドレスマップテーブルにより識別することができる。アドレスマップテーブルには、当該アドレスマップテーブルが伝送されるネットワーク（高度ＢＳというネットワーク）と同一のネットワークにおいて伝送される各サービスを構成するための情報、すなわち、同一のネットワークにおいて伝送されるＩＰパケットのマルチキャストグループの情報が格納される。
【００５７】
マルチキャスト管理部１０１は、アドレスマップテーブルを参照することにより、配信要求の対象となるマルチキャストグループのＩＰパケットが、いずれのサービスＩＤにより伝送されるかを特定する（ステップＳ８０２）。このように特定したサービスＩＤをフロントエンド制御部１０２に出力する（ステップＳ８０３）。また、マルチキャスト管理部１０１は、配信要求の対象となるＩＰアドレス（ＡＳＭの場合はあて先となるグループアドレス、ＳＳＭの場合は送信元アドレス及びあて先となるグループアドレス）を有するＩＰパケットを送信するように、パケットフィルタ部１０３を制御する（ステップＳ８０４）。
【００５８】
フロントエンド制御部１０２は、ＮＩＴを参照し、マルチキャスト管理部１０１から入力したサービスＩＤが、いずれの搬送周波数で伝送され、いずれのストリームＩＤとして伝送されるかを特定する（ステップＳ８０５，ステップＳ８０６）。そして、フロントエンド制御部１０２は、搬送周波数をＢＳ−ＩＦ復調部２０１に出力してチューニング制御を行う（ステップＳ８０７）。
【００５９】
ＮＩＴは、衛星分配システム記述子、システム管理記述子及びサービスリスト記述子により構成される。衛星分配システム記述子は、衛星伝送路の物理的な条件を示す記述子である。システム管理記述子は、放送と非放送とを識別するために使用される記述子である。サービスリスト記述子は、あるストリームＩＤで伝送されるサービスＩＤのリストを示す記述子である。詳細についてはＡＲＩＢ  ＳＴＤ−Ｂ．３２を参照されたい。
【００６０】
図１０は、ＮＩＴの例を示す図である。図１０において、伝送パラメータが衛星分配システム記述子であり、種別がシステム管理記述子であり、ストリームＩＤ及びサービスＩＤがサービスリスト記述子である。ストリームＩＤが0x0101のストリームは、周波数がｆ１の搬送波の信号で伝送され、そのストリームは、種別が放送であるサービスＩＤが0x0001とサービスＩＤが0x0002の両方を含むことを示している。
【００６１】
ＢＳ−ＩＦ復調部２０１は、フロントエンド制御部１０２から搬送周波数を入力し、その搬送周波数の信号の復調を開始する。これにより、パケットアダプタ１００は、特定されたストリームＩＤに属するＴＬＶを入力することができる。具体的には、パケットフィルタ部１０３は、特定されたストリームＩＤのスロットに多重されたＩＰパケットを入力する（ステップＳ８０８）。パケットフィルタ部１０３は、マルチキャスト管理部１０１により、所定のＩＰアドレス（ＡＳＭの場合はあて先となるグループアドレス、ＳＳＭの場合は送信元アドレス及びあて先となるグループアドレス）を有するＩＰパケットを送信するように制御されているため、アプリケーション３０１〜３０３からの配信要求の対象となるＩＰパケットを選択し、入出力インターフェース１０６を介して送信する（ステップＳ８０９）。
【００６２】
〔配信停止要求処理フロー〕
次に、配信停止要求処理フローについて説明する。図１１は、アプリケーション３０１〜３０３が配信停止要求を送信してから、所望のコンテンツのＩＰパケットの配信が停止されるまでの配信停止要求処理フローを示す図である。
【００６３】
高度ＢＳ受信装置２００におけるパケットアダプタ１００のマルチキャスト管理部１０１は、前述したＩＧＭＰまたはＭＬＤ等により、コンテンツの配信停止要求を示すＩＰパケット（ＡＳＭの場合はあて先となるグループアドレス、ＳＳＭの場合は送信元アドレス及びあて先となるグループアドレスを含むｌｅａｖｅメッセージ）をアプリケーション３０１〜３０３から受信する（ステップＳ１１０１）。
【００６４】
マルチキャスト管理部１０１は、配信停止要求を示すＩＰパケットを入力したことを認識し、配信停止要求の対象となるＩＰアドレス（ＡＳＭの場合はグループアドレス、ＳＳＭの場合は送信元アドレス及びあて先アドレス）のＩＰパケットの送信を停止するように、パケットフィルタ部１０３を制御する（ステップＳ１１０２）。これにより、パケットフィルタ部１０３は、ステップＳ８０８に示したように、特定されたストリームＩＤのスロットに多重されたＩＰパケットを入力するが（ステップＳ１１０３）、マルチキャスト管理部１０１により、所定のＩＰアドレス（ＡＳＭの場合はあて先となるグループアドレス、ＳＳＭの場合は送信元アドレス及びあて先となるグループアドレス）を有するＩＰパケットを送信しないように制御されているため、アプリケーション３０１〜３０３からの配信停止要求の対象となるＩＰパケットの送信を停止する。
【００６５】
以上、実施形態を挙げて本発明を説明したが、本発明は前記実施形態に限定されるものではなく、その技術思想を逸脱しない範囲で種々変形可能である。例えば、前記実施形態では、マルチキャストグループを特定するためのＩＰアドレス（ＡＳＭの場合はあて先となるグループアドレス、ＳＳＭの場合は送信元アドレス及びあて先となるグループアドレス）を、アドレスマップテーブルを用いてサービスＩＤに対応付け、一つのサービスＩＤが複数のマルチキャストグループを含むように構成した。しかしながら、本発明はこのような構成に限定されるものではなく、ＩＰパケットのマルチキャストグループを、ＭＰＥＧ−２  ＳｙｓｔｅｍｓにおいてＥＳを特定するＰＩＤに一対一に対応付けるようにしてもよい。サービスＩＤで識別するサービスを構成する要素が、ＭＰＥＧ−２  ＴＳパケットの映像、音声及びデータストリームに加え、２つのマルチキャストグループのＩＰパケットである例を図１２に示す。
【００６６】
このような構成とすることにより、高度ＢＳ受信装置２００は、ＭＰＥＧ−２  ＴＳパケットで伝送される映像及び音声を再生表示しながら、ＩＰパケットで伝送される情報を処理することが可能となる。この場合、アドレスマップテーブルにおいて、サービスＩＤの代わりにＰＩＤまたはcomponent_tagを、マルチキャストグループを特定するための情報に対応付ける。図１３に、ＰＩＤとＩＰパケットのマルチキャストグループとを対応付けるアドレスマップテーブルの例を示す。また、図１４に、component_tagとＩＰパケットのマルチキャストグループとを対応付けるアドレスマップテーブルの例を示す。アドレスマップテーブルを用いてＩＰパケットのマルチキャストグループをＰＩＤまたはcomponent_tagに対応付けることにより、既存のＰＡＴ（Ｐｒｏｇｒａｍ  Ａｓｓｏｃｉａｔｉｏｎ  Ｔａｂｌｅ）及びＰＭＴ（Ｐｒｏｇｒａｍ  Ｍａｐ  Ｔａｂｌｅ）で記述されるコンポーネントの一つとして、ＩＰパケットで伝送される情報を含むことができる。
【００６７】
具体的には、高度ＢＳ受信装置２００におけるパケットアダプタ１００のマルチキャスト管理部１０１は、図１３または図１４に示したアドレスマップテーブルをタイプ分類部１０５から入力し、ＰＩＤまたはcomponent_tagを特定してフロントエンド制御部１０２に出力する。フロントエンド制御部１０２は、タイプ分類部１０５からＮＩＴ、ＰＡＴ及びＰＭＴを入力し、フロントエンド制御部１０２からＰＩＤまたはcomponent_tagを入力し、ＰＡＴ及びＰＭＴを用いてＰＩＤまたはcomponent_tagからサービスＩＤを特定し、ＮＩＴを用いてサービスＩＤから搬送周波数を特定し、その搬送周波数をＢＳ−ＩＦ復調部２０１に出力する。
【００６８】
また、前記実施形態では、ＩＰパケットを特定するための情報として、マルチキャストグループを用いた。しかしながら、本発明はマルチキャストにおける配信に限定されるものではなく、ＩＰパケットのあて先アドレス、送信元アドレスまたはあて先アドレスと送信元アドレスの組み合わせにより、一連のＩＰパケットを特定するようにしてもよい。さらに、本願と同一の出願人によりなされた未公開の特許出願（特願２００７−３０４３３３号）に記載されているように、ＩＰパケットのフローを示すＣＩＤにより、一連のＩＰパケットを特定するようにしてもよい。図１５に、サービスＩＤとＣＩＤとを対応付けるためのアドレスマップテーブルの例を示す。図１５に示すように、アドレスマップテーブルは、図９に示したip_ver、src_addr、src_mask、dst_addr、dst_maskの全ての情報に代わって、ＣＩＤが用いられる。高度ＢＳ受信装置２００におけるパケットアダプタ１００のマルチキャスト管理部１０１は、ＩＰアドレスの代わりにＣＩＤが付加された配信要求を受信し、図１５に示したアドレスマップテーブルを用いてＣＩＤからサービスＩＤを特定することができる。
【００６９】
ここで、ＣＩＤについて説明する。一般に、ＩＰヘッダを圧縮するフォーマットとして、RFC2508(Compressing  IP/UDP/RTP  Headers  for  Low-Speed  Serial  Links)、RFC3095(Robust  Header  Compression(ROHC)：Framework  and  four  profiles：RTP,  UDP,  ESP,  and  uncompressed)等が知られている。これらのヘッダ圧縮技術は、同一フローに属するＩＰパケットのヘッダ情報が、全く同一であるという性質、または予測可能な情報が多く含まれているという性質を利用して行われるものである。前記、未公開の特許出願（特願２００７−３０４３３３号）に記載された具体例では、ヘッダ情報の全てを含むＩＰパケットを伝送する代わりに、ヘッダ情報の全て及びＣＩＤを含むＩＰパケット（以下、フルヘッダのＩＰパケットという。）を間欠的に伝送すると共に、それ以外のＩＰパケットとして、ＣＩＤを含むが、ヘッダ情報の一部のみを含む（ＩＰｖ４では一部のみを含むが、ＩＰｖ６ではヘッダ情報は全く含まない)圧縮ヘッダを付加して伝送する。フルヘッダのＩＰパケットの伝送により、ＩＰパケットを送信する装置及び受信する装置の間で、ＣＩＤをキーとしたヘッダ情報を共有することができる。ＩＰパケットを受信する装置（高度ＢＳ受信装置２００）は、フルヘッダのＩＰパケットを受信すると、ＣＩＤとヘッダ情報との間の対応付けを可能としたＣＩＤテーブルを生成する。そして、ＣＩＤを含む圧縮ヘッダが付加されたＩＰパケットを受信すると、ＣＩＤテーブルを参照することにより、ヘッダ情報を復元する。このようにして、全てのＩＰパケットのヘッダ情報を復元することができる。したがって、ＣＩＤを用いることにより、伝送時のオーバヘッドを削減することができる。
【００７０】
また、前記実施形態では、アプリケーション３０１〜３０３から送信される配信要求及び配信停止要求の制御として、既存のＩＧＭＰまたはＭＬＤを用いるようにしたが、本発明はこれに限定されるものではない。例えば、送信元アドレス、あて先アドレス、送信元アドレスとあて先アドレスとの組み合わせ、または、これらに送信元ポート番号またはあて先ポート番号の任意な組み合わせにより、高度ＢＳ受信装置２００において送信すべき一連のＩＰパケットまたは停止すべき一連のＩＰパケットを特定するための制御を行うようにしてもよい。
【００７１】
さらに、前記実施形態では、送信装置４００が、アドレスマップテーブルを高度ＢＳデジタル放送の伝送路で伝送されるＴＬＶに多重して、高度ＢＳ受信装置２００へ伝送する例を示した。しかしながら、本発明はこれに限定されるものではなく、アドレスマップテーブルは、インターネット３０５及びホームネットワーク３０４を介して、高度ＢＳ受信装置２００へ伝送されるようにしてもよい。
【００７２】
さらに、前記実施形態では、高度ＢＳデジタル放送に用いる高度ＢＳ受信装置２００とアプリケーション３０１〜３０３とがホームネットワーク３０４を介して接続された形態の例で説明したが、アプリケーション３０１〜３０３が高度ＢＳデジタル放送に用いる高度ＢＳ受信装置２００と同一筐体内に存在する場合は、その接続はホームネットワーク３０４を介する必要はない。この場合、高度ＢＳデジタル放送とアプリケーション３０１〜３０３間の、情報の授受はＩＰパケットの形式である必要はなく、前記実施形態でＩＰパケットにより伝送される情報が、異なる形式により伝送されるようにしてもよい。
【図面の簡単な説明】
【００７３】
【図１】本発明の実施形態による伝送システムの構成を示す図である。
【図２】本発明の実施形態による高度ＢＳ受信装置の構成を示す図である。
【図３】フレーム、ストリーム、スロット及びＴＬＶの関係を示す図である。
【図４】ＴＬＶの構成を示す図である。
【図５】パケットアダプタの構成を示す図である。
【図６】ＮＩＴを含む制御用のＴＬＶの構成を示す図である。
【図７】アドレスマップテーブルを含む制御用のＴＬＶの構成を示す図である。
【図８】配信要求処理フローを示す図である。
【図９】アドレスマップテーブルの例を示す図である。
【図１０】ＮＩＴの例を示す図である。
【図１１】配信停止要求処理フローを示す図である。
【図１２】マルチキャストグループをＰＩＤに対応付け、ＥＳと組み合わせて用いる場合の例を示す図である。
【図１３】他のアドレスマップテーブルの例を示す図である。
【図１４】他のアドレスマップテーブルの例を示す図である。
【図１５】他のアドレスマップテーブルの例を示す図である。
【符号の説明】
【００７４】
１  伝送システム
１００  パケットアダプタ
１０１  マルチキャスト管理部
１０２  フロントエンド制御部
１０３  パケットフィルタ部
１０４  ＩＰヘッダ復元部
１０５  タイプ分類部
１０６  入出力インターフェース
２００  高度ＢＳ受信装置
２０１  ＢＳ−ＩＦ復調部
２０２  誤り訂正部
２０３  ストリーム分類部
２０４  ＡＶデコーダ
３０１〜３０３  アプリケーション
３０４  ホームネットワーク
３０５  インターネット
３０６  サーバー
【図１】
0005049151.tif 000002
【図２】
0005049151.tif 000003
【図３】
0005049151.tif 000004
【図４】
0005049151.tif 000005
【図５】
0005049151.tif 000006
【図６】
0005049151.tif 000007
【図７】
0005049151.tif 000008
【図８】
0005049151.tif 000009
【図９】
0005049151.tif 000010
【図１０】
0005049151.tif 000011
【図１１】
0005049151.tif 000012
【図１２】
0005049151.tif 000013
【図１３】
0005049151.tif 000014
【図１４】
0005049151.tif 000015
【図１５】
0005049151.tif 000016